(57)【要約】【課題】  大型の地震等が発生した際に、連結ピンによって連結された建築用木材の割損を防止できることになる建築用木材の連結ピンを提供すること。【解決手段】  一方の木材１に固定した連結金具２の仕口連結部２Ａを、他方の木材３に形成した仕口部３Ａに差し込みして連結する際、この仕口連結部２Ａに形成した連結孔４と他方の木材３に形成した止着孔５とに挿通固定する建築用木材の連結ピンＰであって、無垢の棒ではなく、金属パイプＰ１若しくはパイプ状金属を採用する。【選択図】      図１
2006022614.tif 000002
【特許請求の範囲】
【請求項１】
一方の木材に固定した連結金具の仕口連結部を、他方の木材に形成した仕口部に差し込みして連結する際、この仕口連結部に形成した連結孔と他方の木材に形成した止着孔とに挿通固定する建築用木材の連結ピンであって、無垢の棒ではなく、金属パイプ若しくはパイプ状金属を採用したことを特徴とする建築用木材の連結ピン。
【請求項２】
金属製板材をパイプ形に巻回折曲して前記金属パイプ若しくはパイプ状金属を構成したことを特徴とする請求項１記載の建築用木材の連結ピン。
【発明の詳細な説明】
【技術分野】
【０００１】
本発明は、連結金具を用いて木材同士を連結する際に使用する建築用木材の連結ピンに関するものである。
【背景技術】
【０００２】
木造建築において、従来から建築用木材同士を連結するための連結金具を用いた軸組工法が行われている。
【０００３】
例えば、図２，図３を用いて柱材１に対し梁材３を連結固定する場合の工法を説明すると、柱材１には平面視コ字形の連結金具２を固定し、梁材３の端部には前記連結金具２の仕口連結部２Ａを差し込みし得る仕口部３Ａを形成する。そして、この仕口連結部２Ａを仕口部３Ａに差し込みした上、仕口連結部２Ａに形成した連結孔４と梁材３の仕口部３Ａが存する端部に形成した止着孔５とを位置合せし、この合わせ孔４・５に連結ピンＰ（ドリフトピンとも称される。）を打ち込みするなどして挿通固定することで、柱材１と梁材３とを連結固定する。
【０００４】
また、従来、この連結金具２を用いた軸組工法で使用する連結ピンＰは、図５に示すような金属製の無垢の棒Ｐ２であり、非常に強度が高く、建築用木材同士を極めて強固に連結することが可能である。
【０００５】
そして、この非常に強度の高い無垢の連結ピンＰ２は、大型の地震時等にも簡単に破断しないことがわかっている。
【発明の開示】
【発明が解決しようとする課題】
【０００６】
しかしながら、この無垢の連結ピンＰ２の強度が非常に高いが故に、大型の地震時等にはこの連結ピンＰ２が破断しない代わりに連結ピンＰ２が挿通固定された止着孔５付近から木材３に亀裂が入って割れてしまう場合があった。
【０００７】
本発明は、このような問題点を解消しようとするもので、金属パイプ若しくはパイプ状金属を採用して連結ピンを構成することで無垢の棒より強度を弱くし、これにより大型の地震等が発生した際には、連結ピンが連結強度を発揮しながらも止着孔付近から木材に亀裂が入る前に連結ピンに変形を生じる構造にできて、この連結ピンの変形により地震等による揺れを吸収して木材の割損を防止できることになる画期的な建築用木材の連結ピンを提供するものである。
【課題を解決するための手段】
【０００８】
添付図面を参照して本発明の要旨を説明する。
【０００９】
一方の木材１に固定した連結金具２の仕口連結部２Ａを、他方の木材３に形成した仕口部３Ａに差し込みして連結する際、この仕口連結部２Ａに形成した連結孔４と他方の木材３に形成した止着孔５とに挿通固定する建築用木材の連結ピンＰであって、無垢の棒ではなく、金属パイプＰ１若しくはパイプ状金属を採用したことを特徴とする建築用木材の連結ピンに係るものである。
【００１０】
また、金属製板材６をパイプ形に巻回折曲して前記金属パイプＰ１若しくはパイプ状金属を構成したことを特徴とする請求項１記載の建築用木材の連結ピンに係るものである。
【発明の効果】
【００１１】
本発明は上述のように構成したから、従来の連結ピンたる無垢の金属棒のような非常に強い強度は発揮し得ず、金属パイプ若しくはパイプ状金属の強度の選定（設定）により、地震等の大きな外力の作用によって、金属パイプ若しくはパイプ状金属が挿通固定された他方の木材の前記止着孔部位からこの他方の木材が亀裂を生じるより前に金属パイプ若しくはパイプ状金属が変形を生じることとなるように構成することができる。
【００１２】
従って、上記のように金属パイプ若しくはパイプ状金属の強度を設定構成することにより、地震等の大きな外力が作用した際には、他方の木材が歪み変形するが、この歪みによって止着孔部位からこの他方の木材が亀裂を生じるより前に金属パイプ若しくはパイプ状金属の方が変形を生じるため、他方の木材の歪み変形とこの金属パイプ若しくはパイプ状金属の変形とが前記外力（揺れ）を吸収することになり、これによって他方の木材が割れてしまうことを可及的に防止できることになる。
【００１３】
よって、本発明品を利用した軸組構造によれば、大型の地震等が起こった場合でも連結ピン（金属パイプ若しくはパイプ状金属）によって連結する他方の木材が簡単に割損することがない構造にできるため、耐久寿命が一層長期化する木造建築物を構築可能となる極めて実用性に秀れた画期的な建築用木材の連結ピンとなる。
【００１４】
また、請求項２記載の発明においては、使用する金属製板材の厚さを選択することにより、前記したような最適な強度を発揮する金属パイプ若しくはパイプ状金属を極めて容易に設計実現可能となる一層実用性に秀れた構成の建築用木材の連結ピンとなる。
【発明を実施するための最良の形態】
【００１５】
好適と考える本発明の実施形態（発明をどのように実施するか）を、図面に基づいて本発明の作用を示して簡単に説明する。
【００１６】
木造建築の軸組工法において、一方の木材１に固定した連結金具２の仕口連結部２Ａを、他方の木材３に形成した仕口部３Ａに差し込みし、この仕口連結部２Ａに形成した連結孔４と他方の木材３に形成した止着孔５とに、連結ピンＰとして採用した金属パイプＰ１若しくはパイプ状金属を挿通固定することで、一方の木材１と他方の木材３とを連結固定することができる。
【００１７】
例えば、大型の地震が発生すると、この軸組工法により連結固定した一方の木材１と他方の木材３との連結部には大きな揺れによる外力が作用するが、この際、本発明の連結ピンＰ（金属パイプＰ１若しくはパイプ状金属）は、無垢の金属棒Ｐ２のような非常に強い強度は発揮し得ない。
【００１８】
従って、この金属パイプＰ１若しくはパイプ状金属の強度の選定（設定）により、地震等の大きな外力の作用によって、金属パイプＰ１若しくはパイプ状金属が挿通固定された他方の木材３の前記止着孔５部位から、この他方の木材３が亀裂を生じるより前に金属パイプＰ１若しくはパイプ状金属が変形を生じることとなるように構成することができる。
【００１９】
そして、このように金属パイプＰ１若しくはパイプ状金属の強度を設定構成することにより、地震等の大きな外力が作用した際には、他方の木材３が歪み変形するが、この歪みによって止着孔５部位からこの他方の木材３が亀裂を生じるより前に金属パイプＰ１若しくはパイプ状金属の方が変形を生じるため、他方の木材３の歪み変形とこの金属パイプＰ１若しくはパイプ状金属の変形とが前記外力（揺れ）を吸収することになり、これによって他方の木材３が割れてしまうことを可及的に防止できることになる。
【００２０】
従って、本発明品を利用した軸組構造とすることで、大型の地震等が起こった場合でも連結ピンＰ（金属パイプＰ１若しくはパイプ状金属）によって連結する他方の木材３が簡単に割損することがない構造を実現できるので、木造建築物の耐久寿命の一層の長期化が実現することになる。
【００２１】
また、例えば、金属製板材６をパイプ形に巻回折曲して前記金属パイプＰ１若しくはパイプ状金属を構成すれば、使用する金属製板材６の厚さの選択により、前記したような最適な強度を発揮する金属パイプＰ１若しくはパイプ状金属を極めて容易に設計実現可能となり、一層実用的となる。
【実施例】
【００２２】
本発明の具体的な実施例について図面に基づいて説明する。
【００２３】
本実施例は、図２，図３に示すように、一方の木材１（図面では柱材１）に固定した連結金具２の仕口連結部２Ａを、他方の木材３（図面では梁材３）に形成した仕口部３Ａに差し込みして連結する際、この仕口連結部２Ａに形成した連結孔４と他方の木材３に形成した止着孔５とに挿通固定する建築用木材の連結ピンＰに係るものであり、従来までのような無垢の棒Ｐ２ではなく、金属パイプＰ１若しくはパイプ状金属を採用して構成したものである。
【００２４】
具体的に説明すると、本実施例では、方形状の金属製板材６を小径な丸パイプ形に巻回折曲して、この巻回始端と終端（金属製板材６の対向する一方の端縁同士）を突き合わせ当接することで、図１，図２に示すような、例えば他方の木材３（梁材３）の横幅と略同等の長さ寸法を有する円筒状の前記金属パイプＰ１を構成している。
【００２５】
また、この金属製板材６の厚さの選定により、前記作用・効果を発揮し得る最適な強度の金属パイプＰに構成する。
【００２６】
また、パイプ形に巻回折曲する金属製板材６の巻回始端と終端とを、例えば図４に示すような凹凸段差形状に形成して、この対向端縁を嵌め合わせて突き合わせ当接させる構成としても良く、このように構成すると、巻回始端と終端との位置合わせが容易にできて製作性が向上すると共に、完成した金属パイプＰ１の保形性も向上することになる。
【００２７】
尚、完全なパイプ形でなく、例えば、本実施例において巻回始端と終端とを当接させない（断面Ｃ形を呈する）ような近似パイプ形のものに構成しても良い。また、請求項１中の「パイプ状金属」なる記載は、断面Ｃ形等の完全なパイプ形でないものを含む意味合いで用いているものである。
【００２８】
また、もちろん、突き合わせ当接部等が周面に表出しない完全なパイプ形の金属パイプＰを採用しても良い。
【００２９】
尚、本発明は、本実施例に限られるものではなく、各構成要件の具体的構成は適宜設計し得るものである。
【図面の簡単な説明】
【００３０】
【図１】本実施例を示す斜視図である。
【図２】本実施例を使用して、一方の木材と他方の木材とを連結しようとする状態を示す説明分解斜視図である。
【図３】本実施例の使用状態（一方の木材と他方の木材との連結状態）を示す説明斜視図である。
【図４】本実施例の金属パイプの別例を示す拡大側面図である。
【図５】従来例を示す斜視図である。
【符号の説明】
【００３１】
１  一方の木材
２  連結金具
２Ａ  仕口連結部
３  他方の木材
３Ａ  仕口部
４  連結孔
５  止着孔
６  金属製板材
Ｐ  連結ピン
Ｐ１  金属パイプ
【図１】
2006022614.tif 000003
【図２】
2006022614.tif 000004
【図３】
2006022614.tif 000005
【図４】
2006022614.tif 000006
【図５】
2006022614.tif 000007